(57)【特許請求の範囲】
【請求項１】
画像を表示させて表示演出を実行する演出表示装置と、前記演出表示装置に画像表示を指示する表示信号を出力する演出制御基板と、前記表示信号を入力し、前記演出表示装置で要求される入力信号形式に変換する変換基板とが一つのケース内に収容されており、前記変換基板と前記演出制御基板とは前記表示信号を伝送可能に配線接続されている遊技機において、
前記変換基板と前記演出制御基板とを接続する配線パターンをプリントしたフレキシブル基板と、
平板状であってその厚み方向に沿う側面のうち対向する２面のそれぞれに開口部を形成した前記フレキシブル基板を内挿する挿入部を有する磁性材料からなるノイズ除去部材と、を備え、
前記フレキシブル基板には、前記配線パターンの途中に、前記配線パターンの最外側から配線延設方向に対し直交する方向に延び、かつ前記配線延設方向に沿って延びる拡幅部が設けられており、
前記配線パターンは、当該配線パターンの一方の端部から延びる第１配線パターン部と他方の端部から延びる第２配線パターン部とを前記フレキシブル基板の異なる面にそれぞれプリントし、前記第１配線パターン部と前記第２配線パターン部とを前記配線パターンの途中で連結して構成されているとともに、前記第１配線パターン部と前記第２配線パターン部を連結してなる配線パターンの幅は、当該配線パターンの両端に形成される接続端子と略同一幅となる第１パターン幅と、前記第１配線パターン部と前記第２配線パターン部の連結に際して信号線間の間隔を広くすることにより前記第１パターン幅よりも幅広くなる第２パターン幅を有し、
前記フレキシブル基板を前記ノイズ除去部材に内挿した状態において、当該ノイズ除去部材の挿入部の最外側から前記配線延設方向に対し直交する前記拡幅部の端部が突出して前記ノイズ除去部材と当接し、
前記拡幅部は、前記第１配線パターン部と前記第２配線パターン部の連結部分となる配線パターンをプリントするためのプリント部として機能させるとともに、前記フレキシブル基板と前記変換基板又は前記演出制御基板のいずれかとの接続部と、前記拡幅部の端部との間において前記ノイズ除去部材を挟持して前記配線延設方向への移動を規制する規制部として機能することを特徴とする遊技機。
【発明の詳細な説明】
【技術分野】
【０００１】
本発明は、画像を表示させて表示演出を実行する演出表示装置に画像表示を指示する表示信号を出力する演出制御基板を備えた遊技機に関するものである。
【背景技術】
【０００２】
従来、遊技機の一種であるパチンコ遊技機では、機器間で送受信される信号にノイズが含まれることで、信号を正確に送信又受信できず、各機器の正常な動作が妨げられる問題があった。また、近年では、演出表示装置の大型化に伴い、演出表示装置に送信される信号（情報）が複雑且つ大容量になることで、演出表示装置に対するノイズ対策が注目されてきた。そして、演出表示装置に対するノイズ対策が不十分でノイズを排除しきれない場合には、演出表示装置の表示内容がコマ送りになったり、液晶に何も表示されなかったりすることで演出表示装置の正常な動作を妨げ、その結果、遊技者に不快感を与える虞があった。このため、従来からパチンコ遊技機においては、ノイズによって演出表示装置の正常な動作が妨げられることを防ぐためのノイズ対策がなされている（例えば、特許文献１及び特許文献２）。そして、特許文献１に記載されるように、ノイズと認識する周波数の電流を熱へ変換する磁性材料であるフェライトコアを用いて、演出表示装置に制御基板から接続されている信号線自体をフェライトコアによって取り囲む演出表示装置へのノイズ対策が開示されている。また、特許文献２に記載されるように、基板同士を接続する配線に同じく、前記磁性材料であるトロイダルコアを取り付け接続される基板へのノイズ対策が開示されている。
【特許文献１】特開平７−１１６３１５号公報
【特許文献２】特開２００３−２３６０８０号公報
【発明の開示】
【発明が解決しようとする課題】
【０００３】
ところで、特許文献１で演出表示装置と基板を接続する信号線や、特許文献２で基板同士を接続する信号線は、柔軟性を有する金属線からなる導線などを用いているため、フェライトコアやトロイダルコアの自重により撓むこととなる。このように、前記信号線が撓む場合には、パチンコ遊技機の輸送時などに外部から振動が与えられることで、フェライトコアやトロイダルコアが揺動することに伴って作用する力により、前記演出表示装置と基板の接続や基板同士の接続を維持できない場合があった。また、フェライトコアやトロイダルコアが揺動することで、それらの周辺に配設される基板などに衝突などすることにより、それらの周辺に配設される基板などを傷つける虞があった。
【０００４】
この発明は、このような従来の実情に鑑みてなされたものであり、その目的は、周辺に配設される基板などを傷つけることなく基板同士の接続状態を維持しつつ、演出表示装置に対するノイズを除去することができる遊技機を提供することにある。
【課題を解決するための手段】
【０００５】
上記目的を達成するために、請求項１に記載の発明は、画像を表示させて表示演出を実行する演出表示装置と、前記演出表示装置に画像表示を指示する表示信号を出力する演出制御基板と、前記表示信号を入力し、前記演出表示装置で要求される入力信号形式に変換する変換基板とが一つのケース内に収容されており、前記変換基板と前記演出制御基板とは前記表示信号を伝送可能に配線接続されている遊技機において、前記変換基板と前記演出制御基板とを接続する配線パターンをプリントしたフレキシブル基板と、平板状であってその厚み方向に沿う側面のうち対向する２面のそれぞれに開口部を形成した前記フレキシブル基板を内挿する挿入部を有する磁性材料からなるノイズ除去部材と、を備え、前記フレキシブル基板には、前記配線パターンの途中に、前記配線パターンの最外側から配線延設方向に対し直交する方向に延び、かつ前記配線延設方向に沿って延びる拡幅部が設けられており、前記配線パターンは、当該配線パターンの一方の端部から延びる第１配線パターン部と他方の端部から延びる第２配線パターン部とを前記フレキシブル基板の異なる面にそれぞれプリントし、前記第１配線パターン部と前記第２配線パターン部とを前記配線パターンの途中で連結して構成されているとともに、前記第１配線パターン部と前記第２配線パターン部を連結してなる配線パターンの幅は、当該配線パターンの両端に形成される接続端子と略同一幅となる第１パターン幅と、前記第１配線パターン部と前記第２配線パターン部の連結に際して信号線間の間隔を広くすることにより前記第１パターン幅よりも幅広くなる第２パターン幅を有し、前記フレキシブル基板を前記ノイズ除去部材に内挿した状態において、当該ノイズ除去部材の挿入部の最外側から前記配線延設方向に対し直交する前記拡幅部の端部が突出して前記ノイズ除去部材と当接し、前記拡幅部は、前記第１配線パターン部と前記第２配線パターン部の連結部分となる配線パターンをプリントするためのプリント部として機能させるとともに、前記フレキシブル基板と前記変換基板又は前記演出制御基板のいずれかとの接続部と、前記拡幅部の端部との間において前記ノイズ除去部材を挟持して前記配線延設方向への移動を規制する規制部として機能することを要旨とする。
【発明の効果】
【０００６】
本発明によれば、周辺に配設される基板などを傷つけることなく基板同士の接続状態を維持しつつ、演出表示装置に対するノイズを除去することができる。
【発明を実施するための最良の形態】
【０００７】
以下、本発明を遊技機の一種であるパチンコ遊技機に具体化した一実施形態を図１〜図９にしたがって説明する。
図１には、パチンコ遊技機１０の機表側が略示されており、パチンコ遊技機１０の機体の外郭をなす外枠１２の開口前面側には、各種の遊技用構成部材をセットする縦長方形の中枠１３（図２に示す）が開閉及び着脱自在に組み付けられている。中枠１３の前面側には、中央部に窓口１４を有するとともに、該窓口１４の下方にパチンコ遊技機１０の遊技媒体となる遊技球を貯留可能な第１貯留皿としての上皿（貯留皿）１５を一体成形した前枠１６が開閉及び着脱自在に組み付けられている。前枠１６の裏面側には、機内部に配置された遊技盤ＹＢを保護し、かつ窓口１４を覆う大きさのガラスを支持する図示しないガラス支持枠が着脱及び傾動開放可能に組み付けられている。遊技盤ＹＢは、中枠１３に装着される。また、前枠１６には、窓口１４のほぼ全周を囲むように、図示しない発光体（ランプ、ＬＥＤなど）の発光（点灯や点滅）により発光演出を行う電飾表示部を構成する上側枠用ランプ部１７と、左側枠用ランプ部１８と、右側枠用ランプ部１９とが配置されている。各枠用ランプ部１７，１８，１９は、前枠１６の前面に装着される複数の発光体を、該各発光体の発する光を透過可能に成形したランプレンズ１７ａ，１８ａ，１９ａで覆って構成されている。
【０００８】
前枠１６には、窓口１４の左右上部に、各種音声を出力して音声演出を行う左スピーカ２０と、右スピーカ２１とが配置されている。左スピーカ２０と右スピーカ２１は、前枠１６の裏面に装着されており、該前枠１６の前面であって左スピーカ２０及び右スピーカ２１の装着部位に対応する部位には図示しない放音孔が複数形成されている。
【０００９】
中枠１３の前面側であって前枠１６の下部には、上皿１５から溢れ出た遊技球を貯留する下皿２７が装着されている。また、中枠１３の前面側であって下皿２７の右方には、遊技球を遊技盤ＹＢに発射させる際に遊技者によって回動操作される遊技球発射用の発射ハンドル２４が装着されている。そして、遊技者が発射ハンドル２４を操作することにより、上皿１５に貯留されている遊技球が遊技盤ＹＢの遊技領域ＹＢａに発射されるようになっている。また、前枠１６には、下皿２７の左方に、各種音声を出力して音声演出を行う下スピーカ２５が配置されている。下スピーカ２５は、中枠１３に装着されている。
【００１０】
また、上皿１５の上面１５ｄには、貸し球（遊技球）の貸し受けに関しての各種操作を行うための操作部としての球貸し操作部２６が装備されている。球貸し操作部２６には、カードユニット装置１１に遊技者に貸し出される貸出用遊技媒体としての遊技球（貸し球）と交換可能な交換媒体としてのプリペイドカードをカード投入口１１ａに投入した状態で遊技者が遊技球の貸し受けを指示する球貸ボタンが設けられている。また、球貸し操作部２６には、カードユニット装置１１に投入したプリペイドカードの返却を指示する返却ボタンが設けられている。
【００１１】
遊技盤ＹＢの遊技領域ＹＢａには、各種の表示器や各種の飾りを施した表示枠体３２が装着されている。そして、表示枠体３２の略中央には、液晶ディスプレイ型の表示手段としての演出表示装置３３が配置されている。演出表示装置３３は、液晶表示画面３３ａを備えており、該液晶表示画面３３ａが遊技領域ＹＢａの中央に配置されるように表示枠体３２に装着されている。演出表示装置３３には、複数種類の図柄を変動させて複数列（本実施形態では３列）の図柄からなる図柄組み合わせを導出する図柄変動ゲームを含み、該ゲームに関連して実行される各種の表示演出が画像表示されるようになっている。演出表示装置３３の図柄変動ゲームは、表示演出を多様化するための飾り図柄を用いて行われる。
【００１２】
また、図１において表示枠体３２の右下方（演出表示装置３３の右下方）には、特別図柄表示装置３４が配置されている。本実施形態の特別図柄表示装置３４は、図示しない発光体（ＬＥＤやランプなど）を内蔵し、その発光体をレンズカバーで覆って構成した６個の特図発光部３４ａ、３４ｂ、３４ｃ、３４ｄ、３４ｅ、３４ｆを備えている。そして、特別図柄表示装置３４では、複数個の特図発光部３４ａ〜３４ｆの点灯した特図発光部の位置と個数によって区別される組み合わせを特別図柄として導出する図柄変動ゲームが表示されるようになっている。特別図柄は、大当りか否かの内部抽選（大当り抽選）の結果を示す報知用の図柄である。
【００１３】
表示枠体３２の下方には、始動入賞装置２２が配設されている。そして、本実施形態の始動入賞装置２２は、演出表示装置３３の直下に位置する上始動口２２ａと、図示しないアクチュエータ（ソレノイド、モータなど）の作動により開閉動作を行う開閉羽根２２ｃを備えた下始動口２２ｂが配設されている。始動入賞装置２２（上始動口２２ａ及び下始動口２２ｂ）の奥方には、入賞した遊技球を検知するセンサ（図示しない）が設けられている。始動入賞装置２２は、遊技球の入賞検知を契機に、図柄変動ゲームの始動条件を付与し得る。また、始動入賞装置２２の下方には、図示しないアクチュエータ（ソレノイド、モータなど）の作動により開閉動作を行う大入賞口扉２３ａを備えた大入賞口２３が配設されている。そして、大当り遊技が付与されると、大入賞口扉２３ａの開動作によって大入賞口２３が開放されて遊技球の入球が許容されるため、遊技者は、多数の賞球を獲得できるチャンスを得ることができる。そして、この大当り遊技は、内部抽選で大当りが決定し、図柄変動ゲームにて大当りを認識することができる図柄が停止表示されることを契機に付与される。
【００１４】
次に、パチンコ遊技機１０の機裏側の構成を説明する。
図３には、パチンコ遊技機１０の機裏側を略示している。中枠１３の裏側には、該中枠１３に組み付けセットされる遊技盤ＹＢと対応する位置に保護カバー５０が脱着可能に装着されている。なお、図３では、保護カバー５０を破線で示し、該保護カバー５０を取り外した状態を示している。また、中枠１３の裏側上部（保護カバー５０の上部）には、遊技場の遊技機設置設備から供給される遊技球を貯留可能な球タンク５１が装着されている。
【００１５】
中枠１３の裏側であって図３における右側方には、球タンク５１内の遊技球を上皿１５に向けて払出す際に遊技球を案内する通路が形成された樋部材５２が装着されている。樋部材５２は、図３において球タンク５１の右側下方に連設されるとともに、上下方向に延設されている。樋部材５２には、外部出力装置としての外部端子板５３が装着されている。外部端子板５３は、遊技場に設置された各パチンコ遊技機の動作状態を管理するために遊技場の管理室などに設置される外部管理装置としてのホールコンピュータＨＣ（図６に示す）に接続する基板である。
【００１６】
図３及び図４に示すように、中枠１３の裏側上部であって、球タンク５１の下部（保護カバー５０Ｋを脱着した場所）には、サブ統括制御基板５５及び音声・ランプ制御基板５７を内部に装備したサブ統括制御基板ケース５５Ｋと、演出表示装置３３、演出表示制御基板（演出制御基板）５６、演出表示電源基板５８及びスケーラ基板（変換基板）５９などを装備しこれらを１つに収容した演出表示ユニットケース５６Ｋとが装着されている。そして、本実施形態では、演出表示ユニットケース５６Ｋに収容される、演出表示装置３３、演出表示制御基板５６、演出表示電源基板５８及びスケーラ基板５９により演出表示ユニット５６Ｙを構成している。そして、サブ統括制御基板ケース５５Ｋと、演出表示ユニットケース５６Ｋとは、図３に示すように、遊技盤ＹＢの裏面側に装着されており、演出表示ユニットケース５６Ｋの一部にサブ統括制御基板ケース５５Ｋが重なるように装着されている。
【００１７】
また、中枠１３の裏側下部であってサブ統括制御基板ケース５５Ｋ及び演出表示ユニットケース５６Ｋの下部には、主制御基板５４（図６に示す）を内部に装備した主制御基板ケース５４Ｋが配置されている。主制御基板ケース５４Ｋ（主制御基板５４）は、図３に示すように、遊技盤ＹＢの裏面側下部に装着されている。図４に示すように、演出表示ユニットケース５６Ｋは、遊技盤ＹＢの裏面側において、演出表示ユニット５６Ｙの演出表示装置３３が遊技盤ＹＢ（遊技領域ＹＢａ）の表面側における位置に対応するように装着されている。なお、図４では、主制御基板ケース５４Ｋと、サブ統括制御基板ケース５５Ｋとを脱着した図を示している。
【００１８】
本実施形態において、主制御基板５４は、遊技の進行を制御する主制御装置として機能し、パチンコ遊技機１０全体を制御する。サブ統括制御基板５５は、主制御基板５４が出力する制御信号を入力し、演出表示装置３３、各枠用ランプ部１７，１８，１９、各盤用ランプ部３２ａ、及び各スピーカ２０，２１，２５などの演出装置を統括的に制御するための制御信号を演出表示制御基板５６及び音声・ランプ制御基板５７に出力する。演出表示制御基板５６は、演出表示装置３３の表示内容を専門的に制御する。そして、演出表示制御基板５６は、演出表示装置３３の表示内容を制御するために当該表示内容を指示する表示信号をスケーラ基板５９に対して出力する。スケーラ基板５９は、演出表示制御基板５６から表示信号を入力すると、演出表示装置３３で要求される入力信号に変換し、変換した入力信号を演出表示装置３３に出力する。そして、演出表示装置３３は、スケーラ基板５９で変換された表示信号をスケーラ基板５９を介して入力信号として入力することで、当該信号に指示される表示内容を表示する。本実施形態においては、演出表示制御基板５６からパラレル信号形式の表示信号が出力される一方で、演出表示装置３３ではシリアル信号形式の入力信号を入力するように構成されている。このため、スケーラ基板５９は、演出表示制御基板５６から出力された表示信号の形式を、演出表示装置３３に入力可能な形式に変換する（例えば、パラレル信号形式をシリアル信号形式に変換する）ようになっている。したがって、演出表示制御基板５６が出力した表示信号は、演出表示装置３３で要求される入力信号形式に一致する信号となって演出表示装置３３に入力される。また、音声・ランプ制御基板５７は、各枠用ランプ部１７，１８，１９と盤用ランプ部３２ａの発光態様と、各スピーカ２０，２１，２５の音声出力態様を専門的に制御する。
【００１９】
また、中枠１３の裏側下部であって主制御基板ケース５４Ｋの下部には、電源基板６０（図６に示す）を内部に装備した電源基板ケース６０Ｋと、払出制御基板６１（図６に示す）を内部に装備した払出制御基板ケース６１Ｋが装着されている。また、中枠１３の裏側下部であって主制御基板ケース５４Ｋの下部には、発射制御基板６２（図６に示す）を内部に装備した発射制御基板ケース６２Ｋが装着されているとともに、主制御中継端子板６３と遊技球等貸出装置接続端子板６４とが装着されている。本実施形態のパチンコ遊技機１０では、機種毎に専用部品となる主制御基板５４や、サブ統括制御基板５５や、演出表示ユニット５６Ｙを遊技盤ＹＢに装着し、機種に関係なく流用可能な共通部品となる電源基板６０、払出制御基板６１及び発射制御基板６２を中枠１３に装着している。この構成により、遊技盤ＹＢを交換し、その他の部材をそのまま流用して機種変更を行う場合（盤代えによる機種変更）において、主制御基板５４などの遊技盤ＹＢに装着される専用部品は交換対象の部品となり、払出制御基板６１などの中枠１３に装着される共通部品は非交換対象の部品となる。
【００２０】
また、演出表示装置３３は、該演出表示装置３３毎に液晶表示画面３３ａの大きさや、液晶表示画面３３ａの解像度など装置毎に異なり、パチンコ遊技機１０毎に適した大きさ及び適した解像度のものが用いられるようになっており、パチンコ遊技機１０に対する専用部品となる。そして、演出表示制御基板５６や、スケーラ基板５９は、液晶表示画面３３ａの大きさや解像度に合わせて演出表示装置３３毎に適したものが用いられるようになっており、演出表示装置３３に対する専用部品となる。また、演出表示ユニット５６Ｙを構成する演出表示制御基板５６や、スケーラ基板５９とともに収容されている演出表示電源基板５８は、電源基板６０（図柄６に示す）から供給される電力を中継して、演出表示制御基板５６に供給されている電力をスケーラ基板５９、及び演出表示装置３３に供給するためのものである。そして、演出表示電源基板５８は、スケーラ基板５９、及び演出表示装置３３に対応した電力を供給する。すなわち、演出表示装置３３毎に駆動に要する電力が異なる場合もあり、このような場合には、演出表示電源基板５８は、演出表示装置３３に対する専用部品となる。これらの構成により、図５に示すように、前記機種変更を行う際、これら演出表示制御基板５６、演出表示電源基板５８、スケーラ基板５９、及び演出表示装置３３を１つの演出表示ユニット５６Ｙとして演出表示ユニットケース５６Ｋに収容することで、これら専用部品を予めセットにして交換することができる。また、図５に示すように、演出表示制御基板５６、演出表示電源基板５８、スケーラ基板５９、及び演出表示装置３３を１つの演出表示ユニットケース５６Ｋ内にコンパクトに収容するために、演出表示制御基板５６、演出表示電源基板５８、スケーラ基板５９、及び演出表示装置３３は、それぞれを近接（密接）させた状態で収容されている。
【００２１】
また、電源基板６０は、電源スイッチ６０ｂと遊技機設置設備の電源に接続される電源コード６０ｃを有し、パチンコ遊技機１０の各種制御基板や各種演出装置に対して電源を供給する。払出制御基板６１は、遊技球を払出す払出ユニット６５（図６に示す）の動作を制御し、賞球又は貸し球として払出す遊技球の払出しに関する払出制御を実行する。発射制御基板６２は、発射ハンドル２４の操作状態を検知し、その検知結果に応じて遊技球の発射間隔や発射強度などの発射制御を実行する。主制御中継端子板６３は、主制御基板５４と他の制御基板との間に接続される基板である。遊技球等貸出装置接続端子板６４は、カードユニット装置１１（図柄１に示す）と、球貸し操作部２６と、払出制御基板６１を接続する基板である。
【００２２】
次に、パチンコ遊技機１０の電気的構成について図６にしたがって説明する。
電源基板６０には、遊技機設置設備の電源が接続されているとともに、主制御中継端子板６３とサブ統括制御基板５５とが接続されている。主制御中継端子板６３には、主制御基板５４と、払出制御基板６１と、発射制御基板６２が接続されている。発射制御基板６２には、遊技球を遊技領域ＹＢａに発射させる発射ユニット６８が接続されている。そして、上皿１５から機内に取り込んだ遊技球は、発射制御基板６２による発射ソレノイド（図示しない）のオン／オフ制御に応じて打球杆が作動することにより遊技領域ＹＢａへ向けて打球される。
【００２３】
主制御基板５４には、サブ統括制御基板５５と、図柄表示基板６６が接続されている。図柄表示基板６６には、特別図柄表示装置３４が接続されており、主制御基板５４が出力する制御信号を入力することにより特別図柄表示装置３４の表示内容を制御する。そして、図柄表示基板６６は、表示枠体３２において特別図柄表示装置３４と対応する位置に装着されている。
【００２４】
主制御基板５４には、各種の遊技球検出用のスイッチが接続されている。さらに、主制御基板５４には、外部端子板５３が接続されているとともに、該外部端子板５３にはホールコンピュータＨＣが接続されるようになっている。
【００２５】
サブ統括制御基板５５には、演出表示制御基板５６と音声・ランプ制御基板５７とが接続されている。演出表示制御基板５６には、演出表示電源基板５８と、スケーラ基板５９とが接続されている。演出表示電源基板５８には、演出表示ユニット５６Ｙを構成している（演出表示ケース５６Ｋに収容されている）スケーラ基板５９と演出表示装置３３とが接続されている。スケーラ基板５９には、演出表示装置３３が接続されている。音声・ランプ制御基板５７には、各枠用ランプ部１７，１８，１９と、各盤用ランプ部３２ａと、各スピーカ２０，２１，２５とが接続されている。
【００２６】
払出制御基板６１には、遊技球の払い出しを行う払出ユニット６５と、遊技球等貸出装置接続端子板６４が接続されている。そして、遊技球等貸出装置接続端子板６４には、カードユニット装置１１と球貸し操作基板６７とが接続されている。球貸し操作基板６７は、上皿１５の内部であって球貸し操作部２６と対応する位置に装着されている。
【００２７】
本実施形態のパチンコ遊技機１０では、図５及び図６に示すように、各遊技機構成部材の中で電力の供給や、信号の送受信を行う部材（各制御基板や、各制御基板に接続される部材）は、電力供給を行う電力供給線や信号線をユニット化したハーネスｈや、フラットケーブルにより各遊技機構成部材間で電力の供給や、信号の送受信を行えるようになっている。
【００２８】
そして、これら各遊技機構成部材の中で演出表示制御基板５６とスケーラ基板５９とは、信号線が表面にプリントされることで配線されるフレキシブル基板７０（図５及び図７に示す）により信号の送受信が可能に接続されるようになっている。そして、フレキシブル基板７０には、演出表示制御基板５６と、スケーラ基板５９とで、送受信する信号にノイズが混入することを防止（ノイズを除去）するためのノイズ除去部材としてのフェライトコア８０を装着するようになっている。そして、フェライトコア８０は、磁性材料であるフェライトから構成されている。本実施形態では、フェライトコア８０を用いることにより、ノイズによって演出表示装置３３の正常な動作が妨げられることを防ぐためのノイズ対策がなされている。なお、図６においては、ハーネスｈやフラットケーブルで接続されている部分を実線で示し、フレキシブル基板７０で接続されている部分を破線で示している。
【００２９】
本実施形態における演出表示制御基板５６と、スケーラ基板５９とを接続するフレキシブル基板７０、及びフェライトコア８０の構成について図７及び図８に基づき説明する。
図７（ａ）に示すように、フレキシブル基板７０は、ポリイミドからなり、基板本体７０ａが図７左方に位置する第１接続部７０ｂから図７の右方に位置する第２接続部７０ｃに向って横長状に形成されている。そして、フレキシブル基板７０の基板本体７０ａには、演出表示制御基板５６が出力する表示信号を伝送することができる複数（本実施形態では５０本）の銅箔からなる信号線Ｓ１〜Ｓ５０が、第１接続部７０ｂから第２接続部７０ｃに向ってプリントされることで配線されている。すなわち、基板本体７０ａには、第１接続部７０ｂから第２接続部７０ｃに向って各信号線Ｓ１〜Ｓ５０が延設される方向（配線延設方向）に配線パターンＨＰがプリントされている。なお、配線パターンＨＰは、ポリイミドからなる基板本体７０ａにプリントされるとともに、ポリイミドによりカバーされており、その両面がポリイミドにより覆われている。また、基板本体７０ａを絶縁性を有するポリイミドにより構成しているので、基板本体７０ａの両接続部７０ｂ，７０ｃでは、各基板５６，５９と電気的に接続するために信号線Ｓ１〜Ｓ５０をフレキシブル基板７０の両面（第１接続部７０ｂでは表側、第２接続部７０ｃでは裏側）に露出させている。
【００３０】
そして、配線パターンＨＰは、図７（ａ）に示すように、フレキシブル基板７０の第１接続部７０ｂから信号線Ｓ１〜Ｓ５０がプリントされている第１配線パターン部ＨＰ１と、図７（ｂ）に示すように、フレキシブル基板７０の第２接続部７０ｃから信号線Ｓ１〜Ｓ５０がプリントされている第２配線パターン部ＨＰ２と、これら各配線パターン部ＨＰ１，ＨＰ２を連結させる連結部ＨＰ３とから構成されている。なお、以下の説明においては、図７（ａ）に示す第１配線パターン部ＨＰ１がプリントされている側を表側とし、図７（ｂ）に示す第２配線パターン部ＨＰ２がプリントされている側を裏側として説明する。
【００３１】
そして、第１配線パターン部ＨＰ１と、第２配線パターン部ＨＰ２とは、配線パターンＨＰの途中の連結部ＨＰ３（反転部）において連結されている。連結部ＨＰ３においては、第１配線パターン部ＨＰ１がプリントされているフレキシブル基板７０の表側と、第２配線パターン部ＨＰ２がプリントされているフレキシブル基板７０の裏側とが連結されるようになっており、連結部ＨＰ３により信号線Ｓ１〜Ｓ５０が連結されている。そして、連結部ＨＰ３においては、各信号線Ｓ１〜Ｓ５０を反対側の面に連通させるための貫通孔（スルーホール）７２を形成し、その貫通孔７２を介して両面の信号線Ｓ１〜Ｓ５０を電気的に接続している。すなわち、各接続部７０ｂ〜７０ｃに亘ってプリントされる各信号線Ｓ１〜Ｓ５０は、連結部ＨＰ３によりプリントされる面が反転されている。このため、連結部ＨＰ３では、貫通孔７２を形成するために、信号線Ｓ１〜Ｓ５０同士の間隔を連結部ＨＰ３以外（各配線パターン部ＨＰ１，ＨＰ２）に比較して大きくする必要がある。すなわち、第１配線パターン部ＨＰ１と、第２配線パターン部ＨＰ２とを連結するために、連結部ＨＰ３における信号線Ｓ１から信号線Ｓ５０の幅は、信号線Ｓ１〜Ｓ５０同士の間隔を大きくすることで、第１配線パターン部ＨＰ１及び第２配線パターン部ＨＰ２の信号線Ｓ１から信号線Ｓ５０の幅よりも大きくなる。
【００３２】
また、基板本体７０ａには、第１配線パターン部ＨＰ１と第２配線パターン部ＨＰ２とを連結する連結部ＨＰ３を形成する配線パターンをプリントするための拡幅部７１が形成されている。拡幅部７１は、配線パターンＨＰの途中に当該配線パターンの最外側に位置する信号線Ｓ１、及び信号線Ｓ５０から配線パターンＨＰの延設方向に対し直交する方向に延び、かつ配線パターンＨＰの延設方向に沿って延びるように形成されている。そして、拡幅部７１は、基板本体７０ａに沿って延びるように形成されており、基板本体７０ａの最外側から垂直に延びる拡幅端部７１ａを有している。
【００３３】
本実施形態では、フレキシブル基板７０の基板本体７０ａの配線パターンＨＰの延設方向に対し直交する方向の幅Ｌ１は、配線パターンＨＰにおける第１配線パターン部ＨＰ１及び第２配線パターン部ＨＰ２を構成する信号線Ｓ１から信号線Ｓ５０までの幅と等しく構成されている。また、拡幅部７１は、フレキシブル基板７０の拡幅部７１の配線パターンＨＰの延設方向に対し直交する方向に、連結部ＨＰ３を構成する一部の信号線をプリントすることが可能な幅Ｌ１ａを有している。このため、フレキシブル基板７０の拡幅部７１が形成される部分の該拡幅部７１と基板本体７０ａとの配線パターンＨＰの延設方向に対し直交する方向の幅Ｌ２は、拡幅部７１の幅Ｌ１ａの２倍分だけ幅Ｌ１に比較して大きく形成されている。したがって、本実施形態では、各配線パターン部ＨＰ１，ＨＰ２の信号線Ｓ１から信号線Ｓ５０までのパターン幅（第１パターン幅）を幅Ｌ１と等しくなるように構成する一方で、連結部ＨＰ３におけるパターン幅（第２パターン幅）を幅Ｌ１よりも大きくなるように構成している。そして、連結部ＨＰ３の一部は、基板本体７０ａからはみ出して拡幅部７１にプリントされている。すなわち、本実施形態のフレキシブル基板７０は、幅Ｌ１よりも大きい幅Ｌ２で形成される基板本体７０ａ及び拡幅部７１からなる第１幅部と、当該幅部の両側に配置した幅Ｌ１で形成される基板本体７０ａのみからなる一対の第２幅部とから構成されている。そして、フレキシブル基板７０は、前記第２幅部の幅Ｌ１から前記第１幅部の幅Ｌ２へ切り替わる切替部としての拡幅端部７１ａを有している。
【００３４】
すなわち、本実施形態において、拡幅部７１は、連結部ＨＰ３を構成する信号線をプリントするために形成されたものであって、第１配線パターン部ＨＰ１、及び第２配線パターン部ＨＰ２を連結させる連結部ＨＰ３をプリントするためのプリント部としての機能を有するものである。
【００３５】
そして、図７（ａ），（ｂ）に示すように、本実施形態のフレキシブル基板７０には、該フレキシブル基板７０毎に管理番号が付されるようになっている。管理番号は、在庫管理や、出荷管理など基板管理をするためのものであり、フレキシブル基板７０毎に管理番号によって製造された場所や、製造された日時、搭載されたパチンコ遊技機１０や、メーカ名などの情報が識別できるようになっている。本実施形態では、管理番号として、基板番号（例えば、ＥＸ−＊＊＊）ＬＮと、メーカ名（例えば、ニューギン）ＭＮとを付すようになっており、拡幅部７１を利用して管理番号を付すようにしている。そして、管理番号は、フレキシブル基板７０において認識し易く付すために、配線パターンＨＰと重ならないように基板本体７０ａから拡幅した拡幅部７１の連結部ＨＰ３を構成する信号線がプリントされていない位置に付されるようになっている。なお、図７（ａ），（ｂ）に示すようにフレキシブル基板７０の表側における拡幅部７１にはメーカ名ＭＮを付すとともに、フレキシブル基板７０の裏側における拡幅部７１にはメーカ名ＭＮを付していない。また、これら管理番号（基板番号ＬＮ、及びメーカ名ＭＮ）は、配線パターンＨＰと同じようにポリイミドにより覆われており、その両面がポリイミドにより覆われている。
【００３６】
また、図８（ａ）に示すように、平板状であって所定の厚み（例えば、６〜７ｍｍ）を有する断面略長方形に形成されるフェライトコア８０には、その厚み方向に沿った対向する側面８０ｂの２面のそれぞれに開口部を有する挿入部８０ａが形成されている。そして、挿入部８０ａは、その厚み（本実施形態では、２〜３ｍｍ）がフレキシブル基板７０の厚みより大きく形成され、その幅Ｌ５（本実施形態では、３０〜４０ｍｍ）が幅Ｌ１よりも大きく幅Ｌ２よりも小さく（幅Ｌ１＜幅Ｌ５＜幅Ｌ２となるように）形成されている。また、挿入部８０ａは、その長さＬ６（本実施形態では、２０〜２１ｍｍ）が距離Ｌ４よりも大きく距離Ｌ３よりも小さく（距離Ｌ４＜長さＬ６＜距離Ｌ３となるように）形成されている。そして、本実施形態のフェライトコア８０の挿入部８０ａには、一方の側面８０ｂにフレキシブル基板７０を第１接続部７０ｂ側から挿入し、もう一方の側面８０ｂから第１接続部７０ｂを突出させるように内装することができるように構成されている。なお、一方の側面８０ｂにフレキシブル基板７０を第２接続部７０ｃ側から挿入する場合には、もう一方の側面８０ｂから第２接続部７０ｃが突出しないように構成されているため（距離Ｌ４＜長さＬ６＜距離Ｌ３）、第１接続部７０ｂからのみ挿入部８０ａに内装することができるように構成されている。また、長さＬ６と距離Ｌ３とは、これらの差がなるべく存在しないように（４〜７ｍｍ）構成することで、フェライトコア８０にフレキシブル基板７０を内挿し、演出表示制御基板５６とスケーラ基板５９とを接続した状態（図９参照）における配線パターンＨＰの延設方向に対するあそびを減少させるように構成されている。なお、幅Ｌ５と幅Ｌ１とは、これらの差がなるべく存在しないように構成することで、フェライとコア８０にフレキシブル基板７０を内挿した場合の配線パターンＨＰの延設方向に直交する方向に対するあそびを減少させるようになっている。
【００３７】
そして、図８（ｂ）に示すように、フェライトコア８０にフレキシブル基板７０を内挿した状態では、幅Ｌ５に対して幅Ｌ２の方が大きく構成されるため第１接続部７０ｂが突出している側の側面８０ｂに対向する側面８０ｂと、拡幅部７１の拡幅端部７１ａとが当接することとなる。そして、フェライトコア８０は、フレキシブル基板７０を内挿した状態において、配線パターンＨＰが延設される方向への移動が、拡幅端部７１ａにより規制され、拡幅端部７１ａから第２接続部７０ｃへの移動が規制されている。すなわち、拡幅端部７１ａは、その端部に側面８０ｂが当接することで、第１接続部７０ｂから第２接続部７０ｃの間で配線パターンＨＰが延設される方向へのフェライトコア８０の移動を規制する規制部として機能する。したがって、拡幅端部７１ａを有する拡幅部７１は、前記プリント部としての機能と規制部としての両機能を兼用している。
【００３８】
次に、本実施形態におけるフェライトコア８０に内挿されたフレキシブル基板７０により、演出表示制御基板５６とスケーラ基板５９とを接続する態様について説明する。
図５及び図９に示すように、演出表示制御基板５６には、フレキシブル基板７０の第１接続部７０ｂを接続するための制御基板側接続部５６ａが設けられている一方で、スケーラ基板５９には、フレキシブル基板７０の第２接続部７０ｃを接続するためのスケーラ側接続部５９ａが設けられている。制御基板側接続部５６ａには、フレキシブル基板７０の信号線Ｓ１〜Ｓ５０のそれぞれに対応する接続端子が、演出表示制御基板５６側から外方に設けられている。そして、制御基板側接続部５６ａは、演出表示制御基板５６に対して第１接続部７０ｂを平行に配置してロック（固定）する機構となっている。一方、スケーラ側接続部５９ａには、フレキシブル基板７０の信号線Ｓ１〜Ｓ５０のそれぞれに対応する接続端子が、図５及び図９の左方に向って設けられている。そして、スケーラ側接続部５９ａは、スケーラ基板５９に対し第２接続部７０ｃを直交するように配置して挿入（固定）する機構となっている。
【００３９】
このように構成されるパチンコ遊技機１０において、制御基板側接続部５６ａは、フレキシブル基板７０の表側（第１接続部７０ｂで信号線Ｓ１〜Ｓ５０が露出している側）を演出表示制御基板５６に向けて裏側から固定することで、演出表示制御基板５６とフレキシブル基板７０とを電気的に接続する。一方、スケーラ側接続部５９ａは、フレキシブル基板７０の裏側（第２接続部７０ｃの信号線Ｓ１〜Ｓ５０が露出している側）を図５及び図９の右方になるように挿入されることで、スケーラ基板５９とフレキシブル基板７０とを電気的に接続する。その結果、演出表示制御基板５６と、スケーラ基板５９とが電気的に接続されることで、両基板５６，５９間において表示信号の送受信が行われる。
【００４０】
また、本実施形態においては、制御基板側接続部５６ａにフレキシブル基板７０を当該基板７０の表側が演出表示制御基板５６に向って配置する一方で、スケーラ側接続部５９ａにフレキシブル基板７０を当該基板７０の裏側が図５及び図９の右方に向って配置するように装着している。そして、本実施形態において演出表示制御基板５６とスケーラ基板５９とは、フレキシブル基板７０で接続される場合に制御基板側接続部５６ａ、及びスケーラ側接続部５９ａの各端子が該フレキシブル基板７０の異なる面側（表側、又は裏側の各面）にそれぞれ接触するように配置されている。すなわち、フレキシブル基板７０により、両基板５６，５９を電気的に接続するためには、フレキシブル基板７０の両接続部７０ｂ，７０ｃから異なる面側に配線パターンＨＰをプリントする必要がある。このため、本実施形態のフレキシブル基板７０では、該基板７０の異なる面側に配線パターンＨＰをプリントし、連結部ＨＰ３により連結させるように構成したものを用いている。
【００４１】
そして、このように両基板５６，５９を電気的に接続した状態においては、制御基板側接続部５６ａと、フレキシブル基板７０の第１接続部７０ｂに近い拡幅端部７１ａとの間にフェライトコア８０が挟持されることとなる。このため、フェライトコア８０は、フレキシブル基板７０の第１接続部７０ｂに近い拡幅端部７１ａと、制御基板側接続部５６ａとの間において、配線パターンＨＰが延設される矢印Ｙ１（図９に示す）方向へのフェライトコア８０の移動を規制することができる。すなわち、本実施形態では、フェライトコア８０にフレキシブル基板７０を内挿した場合に、該コア８０の側面８０ｂに当接する拡幅端部７１ａと、制御基板側接続部５６ａとが前記規制部として機能する。
【００４２】
そして、両基板５６，５９を電気的に接続した状態においては、フェライトコア８０をフレキシブル基板７０の中央でなく、演出表示制御基板５６の制御基板側接続部５６ａに近接して装着することにより、該コア８０の側面８０ｂに当接する拡幅端部７１ａと、制御基板側接続部５６ａとで挟持するように構成されている。このため、フレキシブル基板７０には、フェライトコア８０の矢印Ｙ１方向への移動を規制する規制部として側面８０ｂと当接する拡幅端部７１ａのみが存在すればよく、前記プリント部として形成される拡幅部７１を規制部として兼用することで、規制部のみの機能を有する部分をわざわざ形成する必要がなくなる。また、フレキシブル基板７０に制御基板側接続部５６ａに対応する規制部を設けなくとも、該基板７０を制御基板側接続部５６ａに接続（固定）することのみによって、フェライトコア８０の移動を規制することができる。したがって、本実施形態のパチンコ遊技機１０では、前記規制部としての機能のみを有する部分を設けることなく、フェライトコア８０の前記移動を規制することができるように構成されている。
【００４３】
また、本実施形態においては、基板間のノイズを除去するためのフェライトコア８０を装着する基板としてフレキシブル基板７０を採用するとともに、該基板７０においてフェライトコア８０を演出表示制御基板５６の制御基板側接続部５６ａに近接して装着することにより、フェライトコア８０のフレキシブル基板７０の厚み方向であって、演出表示制御基板５６に対して接離する矢印Ｙ２方向への揺動を防止している。すなわち、本実施形態では、フェライトコア８０をフレキシブル基板７０の第１接続部７０ｂに近接して装着することにより、矢印Ｙ２方向への揺動を防止している。また、本実施形態では、各基板５６，５９の接続に際し、フレキシブル基板７０を撓ませた状態で接続する場合（図９参照）であってもフェライトコア８０の矢印Ｙ２方向への揺動を防止することができる一方、フェライトコア８０を装着した状態であっても当該コア８０の自重によりフレキシブル基板７０の撓みを防止することができる。そして、フェライトコア８０の矢印Ｙ１方向への移動や、矢印Ｙ２方向への揺動を防止することにより、確実に両基板５６，５９の接続状態を維持している。
【００４４】
また、本実施形態では、図３に示すように、各遊技機構成部材がパチンコ遊技機１０の機裏側に密接した関係で装着されているとともに、図５に示すように、演出表示制御基板５６、演出表示電源基板５８、スケーラ基板５９、及び演出表示装置３３が演出表示ユニットケース５６Ｋ内に密接した関係で収容（装備）されている。このため、本実施形態では、両基板５６，５９を接続するに際し、フェライトコア８０が前記移動したり前記揺動したりすることにより周辺の基板（演出表示ユニット５６Ｙ）や演出表示ユニットケース５６Ｋ自体などを傷つけたりしないように、フレキシブル基板７０を採用するとともに、フェライトコア８０の移動や揺動を防止する構成を採用した。その結果、両基板５６，５９を電気的に接続した状態においては、フェライトコア８０が揺動したり、移動することによって周辺の基板（演出表示ユニット５６Ｙ）や演出表示ユニットケース５６Ｋ自体などを傷つけたりすることが防止される。
【００４５】
したがって、本実施形態によれば、以下に示す効果を得ることができる。
（１）演出表示制御基板５６とスケーラ基板５９とは、配線パターンＨＰをプリントしたフレキシブル基板７０により接続されるようにした。このため、スケーラ基板５９と演出表示制御基板５６とを接続した状態において、これらを接続しているフレキシブル基板７０がフェライトコア８０に内挿されていたとしても該コア８０の自重により撓まないので、該コア８０の矢印Ｙ２方向への揺動（図９に示す）を防止することができる。また、フレキシブル基板７０の第１接続部７０ｂと拡幅部７１の拡幅端部７１ａとでフェライトコア８０を挟持することにより、フレキシブル基板７０の第１接続部７０ｂに近接する位置にフェライトコア８０を位置させるようにした。このため、フェライトコア８０がフレキシブル基板７０の中央に位置する場合に比較して該コア８０の矢印Ｙ２方向への揺動をより確実に防止することができる。そして、フェライトコア８０が前記揺動しないため、演出表示制御基板５６とスケーラ基板５９との接続状態を確実に維持することができる。したがって、周辺に配設される基板などを傷つけることなく基板同士の接続状態を維持しつつ、演出表示装置３３に対するノイズを除去することができる。
【００４６】
（２）フレキシブル基板７０には、拡幅部７１を形成し、当該拡幅部７１を連結部ＨＰ３を構成する信号線をプリントするためのプリント部として機能させるようにした。一方、拡幅部７１に拡幅端部７１ａを形成することにより、該拡幅部７１を形成する部分のフレキシブル基板の幅Ｌ２は、フェライトコア８０の幅Ｌ５よりも大きくなるようにした。このため、フレキシブル基板７０をフェライトコア８０に内挿する際、拡幅部７１の拡幅端部７１ａをフェライトコア８０の側面８０ｂに当接させることで、配線パターンＨＰが延設される矢印Ｙ１方向への該コア８０の移動を拡幅端部７１ａにより規制することができる。すなわち、拡幅部７１は、連結部ＨＰ３を構成する信号線をプリントするためのプリント部としての機能と、フェライトコア８０の移動を規制する規制部としての機能とを有することとなる。したがって、前記プリント部の形成に伴う拡幅部７１を規制部として兼用することで、フレキシブル基板７０にわざわざ規制部を形成する必要がなくなる。
【００４７】
（３）演出表示制御基板５６と、スケーラ基板５９とを接続した状態においては、演出表示制御基板５６の制御基板側接続部５６ａとフレキシブル基板７０の拡幅部とでフェライトコア８０を挟持することで、フレキシブル基板７０の他の部分にフェライトコア８０の移動を規制する規制部を新たに設ける必要がなくなる。すなわち、前記プリント部と規制部との両機能を兼用することで、いずれかの機能のみを有する部分を設ける必要がなくなり、フレキシブル基板７０の構成を簡素化することができる。
【００４８】
（４）フレキシブル基板７０にプリントされる配線パターンＨＰ（信号線Ｓ１〜Ｓ５０）は、剥がれ落ちたり消えたりしてしまうと表示信号の送受信ができなくなってしまうため、フレキシブル基板７０から剥がれ落ちたり消えたりしないように、フレキシブル基板７０を構成するポリイミドにより覆われるようにした。また、管理番号（基板番号ＬＮ，及びメーカ名ＭＮ）においても、基板を管理する上で重要であるとともに、不正に改造された基板に交換されたりすることを防止するため、フレキシブル基板７０から剥がされたり消えたりしないようにする必要がある。このため、管理番号は、配線パターンＨＰ（信号線Ｓ１〜Ｓ５０）同様に、フレキシブル基板７０を構成するポリイミドにより覆われるようにすることで、当該基板７０の管理を確実に行えるとともに、当該基板７０が交換されているか否かを容易に判断することができる。
【００４９】
（６）フレキシブル基板７０において、各接続部７０ｂ，７０ｃから拡幅端部７１ａまでの距離Ｌ３，Ｌ４を異ならせることで、フェライトコア８０に内挿させる場合に第１接続部７０ｂから内挿させることを使用者に容易に認識させることができる。そして、挿入部８０ａの長さＬ６と、距離Ｌ３との差がなるべく存在しないように構成することで、フェライトコア８０にフレキシブル基板７０を内挿した状態において、フレキシブル基板７０に対するフェライトコア８０のあそびが少なくなり、該コア８０の矢印Ｙ１方向への移動をより確実に規制することができる。
【００５０】
なお、上記実施形態は以下のように変更してもよい。
・本実施形態は、図１０に示すように、管理番号を付すための管理番号部７３を拡幅部７１から独立して形成してもよい。また、図１１に示すように、管理番号を小さく付すこともでき、管理番号部７３の配線パターンＨＰの延設方向に直交する幅Ｌ１ｂと基板本体７０ａの幅Ｌ１とを合わせた幅Ｌ１ｃがフェライトコア８０の挿入部８０ａの幅Ｌ５よりも小さくなるように管理番号部７３を形成することもできる。そして、図１１において管理番号部７３は、第１接続部７０ｂと拡幅端部７１ａとの間に形成してもよく、幅Ｌ１ｃをＬ５よりも小さく形成することで、管理番号部７３が形成されていたとしてもフェライトコア８０にフレキシブル基板７０を内挿することができる。
【００５１】
・本実施形態において第２接続部７０ｃから拡幅端部７１ａまでの距離Ｌ４は、距離Ｌ３よりも長く構成してもよく、距離Ｌ３とほぼ同じに構成してもよい。そして、距離Ｌ３及び距離Ｌ４のうち少なくとも一方が挿入部８０ａの長さＬ６よりも大きく構成されていればよい。
【００５２】
・本実施形態においてノイズ除去部材としては、センダストや、パーマロイなどの磁性材料から構成されるものを採用してもよく、これら高透磁率材料などを採用することで磁気などによるノイズを除去（遮断）することができる。また、ノイズ除去部材としては、フェライト、センダスト、及びパーマロイなどの磁性材料を混合したもので構成するようにしてもよい。
【００５３】
・本実施形態において拡幅部７１は、フェライトコア８０の挿入部８０ａの幅Ｌ５よりも大きければよく、連結部ＨＰ３を構成する信号線をプリントすることができるプリント部を確保できる大きさや形状であればよい。
【００５４】
・本実施形態において拡幅部７１は、第２幅部から第１幅部への切替部としての拡幅端部７１ａをその幅が徐々に拡幅していく斜状に形成することもできる。
・本実施形態は、管理番号を付さない場合に適用することもできる。
【００５５】
・本実施形態において管理番号は、ポリイミドで覆われていなくてもよくフレキシブル基板７０上に単にスタンプを付したり、印刷したりするものであってもよい。
・本実施形態においてフレキシブル基板７０により接続される両基板５６，５９の各接続部５６ａ，５９ａは、ともにフレキシブル基板７０の両接続部７０ｂ，７０ｃを挿入するタイプを採用することもでき、任意に変更してもよい。
【００５６】
・本実施形態は、演出表示制御基板５６とスケーラ基板５９の間にノイズ除去対策を施しつつ、スケーラ基板５９と演出表示装置３３の間をフレキシブル基板７０で接続することで、フェライトコア８０によってノイズ除去対策を施すこともできる。この構成によれば、スケーラ基板５９から出力される入力信号に対してノイズ対策を施すことにより、演出表示装置３３に対するノイズをより確実に除去することができる。また、演出表示装置３３に拘らず、例えば、サブ統括制御基板ケース５５Ｋに１つに収容されているサブ統括制御基板５５と音声・ランプ制御基板５７に対してや、音声・ランプ制御基板５７と各種ランプ１７〜１９，３２ａに対してや、音声・ランプ制御基板５７とスピーカ２０，２１，２５に対してノイズ対策を施すこともできる。このように構成することで、各演出装置の誤作動を防止して、遊技者に不快感を与えることのないパチンコ遊技機１０を実現することができる。
【００５７】
次に、上記実施形態及び別例から把握できる技術的思想について、以下に追記する。
（イ）前記フレキシブル基板の両端部から前記拡幅部の端部までの距離が異なっており、前記フレキシブル基板の両端部から前記拡幅部の端部までの少なくとも一方の距離は、前記挿入部の長さとほぼ同じ長さで形成されていることを特徴とする請求項１に記載の遊技機。
【００５８】
（ロ）画像を表示させて表示演出を実行する演出表示装置と、前記演出表示装置に画像表示を指示する表示信号を出力する演出制御基板と、前記表示信号を入力し、前記演出表示装置で要求される入力信号形式に変換する変換基板とが一つのケース内に収容されており、前記変換基板と前記演出制御基板とは前記表示信号を伝送可能に配線接続されている遊技機において、前記変換基板と前記演出制御基板とを接続する配線パターンをプリントしたフレキシブル基板と、平板状であってその厚み方向に沿う側面のうち対向する２面のそれぞれに開口部を形成した前記フレキシブル基板を内挿する挿入部を有する磁性材料からなるノイズ除去部材と、を備え、前記配線パターンは、当該配線パターンの一方の端部から延びる第１配線パターン部と他方の端部から延びる第２配線パターン部とを前記フレキシブル基板の異なる面にそれぞれプリントし、前記第１配線パターン部と前記第２配線パターン部とを前記配線パターンの途中で連結して構成されているとともに、前記第１配線パターン部と前記第２配線パターン部を連結してなる配線パターンの幅は、当該配線パターンの両端に形成される接続端子と略同一幅となる第１パターン幅と、前記第１配線パターン部と前記第２配線パターン部の連結に際して信号線間の間隔を広くすることにより前記第１パターン幅よりも幅広くなる第２パターン幅を有し、前記フレキシブル基板は、前記第１パターン幅及び前記第２パターン幅よりも幅広く、かつ前記ノイズ除去部材の挿入部よりも幅広く形成した第１幅部と、前記第１パターン幅と略同一幅に形成し、かつ前記第１幅部の両側に配置した一対の第２幅部を有し、前記第１幅部は、前記配線パターンの非形成部分を前記第１配線パターン部と前記第２配線パターン部の連結部分を含む配線パターンをプリントするためのプリント部として機能させるとともに、前記第２幅部の幅から前記第１幅部の幅へ切り替わる切替部を前記ノイズ除去部材の配線延設方向への移動を規制する規制部として機能させることを特徴とする遊技機。
【図面の簡単な説明】
【００５９】
【図１】パチンコ遊技機の機前面側を示す正面図。
【図２】パチンコ遊技機を上から見た場合の平面図。
【図３】遊技機の機裏側を示す背面図。
【図４】遊技盤の裏側を示す背面図。
【図５】演出表示ユニットを示す平面図。
【図６】パチンコ遊技機の電気的構成を示すブロック図。
【図７】（ａ）はフレキシブル基板の表側を示す平面図、（ｂ）はフレキシブル基板の裏側を示す平面図。
【図８】（ａ）はフェライトコアを示す斜視図、（ｂ）はフェライトコアにフレキシブル基板を内挿した状態を示す平面図。
【図９】演出表示制御基板とスケーラ基板とをフレキシブル基板で接続する状態を示す模式図。
【図１０】別例におけるフレキシブル基板を示す平面図。
【図１１】別例におけるフレキシブル基板を示す平面図。
【符号の説明】
【００６０】
ＨＰ…配線パターン、ＨＰ１…第１配線パターン部、ＨＰ２…第２配線パターン部、ＨＰ３…連結部、Ｓ１〜Ｓ５０…信号線、１０…パチンコ遊技機、３３…演出表示装置、５６…演出表示制御基板、５６ａ…制御基板側接続部、５６Ｋ…演出表示ユニットケース、５６Ｙ…演出表示ユニット、５８…演出表示電源基板、５９…スケーラ基板、５９ａ…スケーラ側接続部、７０…フレキシブル基板、７０ａ…基板本体、７０ｂ…第１接続部、７０ｃ…第２接端部、７１…拡幅部、７１ａ…拡幅端部、８０…フェライトコア、８０ａ…挿入部、８０ｂ…側面。
【図１】
0004820335.tif 000002
【図２】
0004820335.tif 000003
【図３】
0004820335.tif 000004
【図４】
0004820335.tif 000005
【図５】
0004820335.tif 000006
【図６】
0004820335.tif 000007
【図７】
0004820335.tif 000008
【図８】
0004820335.tif 000009
【図９】
0004820335.tif 000010
【図１０】
0004820335.tif 000011
【図１１】
0004820335.tif 000012